(57)【要約】【課題】サンプルチューブの装填が容易かつ短時間に行うことができ、誤装填を防止するとともに、ロータの回転中心に対してバランスのとれた装填を可能にした遠心分離機用ロータを提供することにある。【解決手段】ロータ１のテーパ状に形成した斜面１４に、大きさが異なる３種類のサンプルチューブの装填を可能にする３種類の遠心チューブ用孔Ｌ（Ｌ１  〜Ｌ３０），Ｍ（Ｍ１  〜Ｍ１４），Ｓ（Ｓ１  〜Ｓ１４）をその孔径毎に定められた領域Ｉ，ＩＩ内に位置するようにグループ化して形成する。遠心チューブ用孔Ｌは、ロータ１の回転中心Ｏを中心とする半径Ｒ１  の円周上にまとめて形成されている。遠心チューブ用孔ＭとＳは、それぞれ７個数ずつ２つのグループＧＭ１  ，ＧＭ２  ，ＧＳ１  ，ＧＳ２  に区分け、半径Ｒ２  の同一円周上に回転中心Ｏに関して点対称となる位置、すなわち点対称となる分割領域ＩＩ１  とＩＩ３  にグループＧＭ１  ，ＧＭ２  のチューブ用孔Ｍが形成され、点対称となる分割領域ＩＩ２  とＩＩ４  ＩＩ１  とＩＩ３  にグループＧＳ１  ，ＧＳ２  のチューブ用孔Ｓが形成されている。【選択図】        図４
2004154661.tif 000002
【特許請求の範囲】
【請求項１】
孔径が異なる複数種類の遠心チューブ用孔を備えた遠心分離機用ロータにおいて、
前記遠心チューブ用孔をその孔径毎に定められた領域内に位置するようにグループ化して形成したことを特徴とする遠心分離機用ロータ。
【請求項２】
請求項１記載の遠心分離機用ロータにおいて、
孔径が異なる複数種類の遠心チューブ用孔は、ロータの回転中心を中心とする径が異なる同心状の円周上にそれぞれ位置するように形成されていることを特徴とする遠心分離機用ロータ。
【請求項３】
請求項１記載の遠心分離機用ロータにおいて、
少なくとも孔径が異なる２種類の遠心チューブ用孔は、ロータの回転中心を中心とする同一円周上であって、前記回転中心に関して点対称となるように複数のグループに区分けして形成されていることを特徴とする遠心分離機用ロータ。
【請求項４】
請求項１，２または３記載の遠心分離機用ロータにおいて、グループ化された各遠心チューブ用孔の領域と、サンプルチューブの容量値を各遠心チューブ用孔の領域毎に表示したことを特徴とする遠心分離機用ロータ。
【発明の詳細な説明】
【０００１】
【発明の属する技術分野】
本発明は、遠心力を利用して血液、ＤＮＡ、ＲＮＡ等の液体試料を分離する遠心分離機に用いられるロータに関するものである。
【０００２】
【従来の技術】
遠心分離機では、遠心処理する試料をロータに装填し、このロータを駆動モータによって所要の回転数（例えば、１２０００ｒｐｍ）で所要な時間回転させることにより、遠心力を利用して液体試料をその密度の差にしたがって分離する構造を採っている（例えば、特許文献１，２，３参照）。
【０００３】
【特許文献１】
実開平７−２４４５０号公報
【特許文献２】
特開２０００−７９３５５号公報
【特許文献３】
特開平１０−１８０１４７号公報
【０００４】
液体試料を遠心分離する際には、遠心分離の目的によってサイズ、容量の異なるサンプルチューブが使い分けられる。このため、使用者は、サンプルチューブの径に合わせて複数種類のロータを準備しておくか、または孔のサイズの一番大きいロータを準備しておき、それより小さいチューブを使用する時は筒体からなるアダプタを介してサンプルチューブをロータの遠心チューブ用孔に装填するようにしている。
【０００５】
しかしながら、サンプルチューブの大きさに合わせて複数種類のロータを用意することは、それだけ使用者にとって経済的な負担が大きくなるばかりか、使用チューブの大きさに応じてロータを交換しなければならず、その交換作業が煩わしく、遠心分離に長時間を要するという問題があった。
【０００６】
一方、アダプタを使用する場合は、コスト的に比較的安価ではあるが遠心チューブ用孔の数だけアダプタを用意し、各サンプルチューブをアダプタに対して着脱しなければならないからその作業が煩雑になる。
【０００７】
そこで、このような問題を解決するために、１つのロータに対してサイズの異なる複数種のサンプルチューブを同時に装填できるようにしたロータも既に提案され、実用化されている（例えば、特許文献４、非特許文献１参照）。
【０００８】
【特許文献４】
実開平７−２１１３７号公報（段落「００１４」〜「００１６」の記載、図６）
【非特許文献１】
株式会社久保田製作所製ロータ（モデルＡＦ−２７２４Ａ  ２００１年３月製作）
【０００９】
上記した実開平７−２１１３７号公報に記載されたロータは、ロータ本体に同一の孔径からなり最大径のサンプルチューブが収納できチューブ孔を同一円周上に複数個形成し、これらのチューブ孔に対応してその大きさを越えない複数種類の孔を有するチューブ保持板をロータに着脱自在に取付けるようにしている。  このような構造によれば、チューブ保持板に形成した大きさが異なる孔よりロータのチューブ用孔にサンプルチューブを差し込むことにより、複数種類のサンプルチューブを同時に装填して遠心分離することができる。
【００１０】
上記した久保田製作所製ロータは、ロータ自体の外周縁部に設けたチューブ装填部のテーパ面に大きさが異なる３種類のチューブ用孔を、同心状の２つの円周上に形成している。すなわち、大小２つの円周のうち大きい円周上には最大の孔径を有するチューブ用孔を周方向に一定の間隔をおいて複数個形成し、小さい円周上には中間の孔径と最小の孔径を有する残り２種類のチューブ用孔を周方向に１つおきに交互に位置するようにそれぞれ複数個形成している。
このようなロータによれば、上記したチューブ保持板を必要とせず複数種類のサンプルチューブを同時に装填して遠心分離することができる。
【００１１】
【発明が解決しようとする課題】
しかしながら、上記した実開平７−２１１３７号公報に記載された遠心分離機用ロータは、同一円周上に大、中、小３種類のチューブ孔を１組として周方向に繰り返し複数組並ぶように、すなわち周方向に大−中−小−大−中−小・・・と繰り返し並ぶように形成しているので、大中小のチューブ孔が周方向に隣り合って混在することになり孔径の判別に細心の注意をはらう必要がある。特に、径の小さいサンプルチューブを孔径の大きいチューブ孔に誤って差し込んでしまったり、サンプルチューブの配置のバランスを取るために回転中心を挟んで互いに対向する、言い換えれば回転中心に関して点対称となる位置にある２つのチューブ孔を選んでサンプルチューブをそれぞれ装填する必要があるため、点対称となるチューブ孔を探し出す作業が煩わしく、装填に時間を要するという問題があった。
【００１２】
上記した久保田製作所製のロータも孔径が異なる２種類のチューブ用孔を同一円周上に交互に隣り合うように形成しているので、上記した実開平７−２１１３７号公報に記載された遠心分離機用ロータと同様な問題があった。
【００１３】
本発明は上記した従来の問題を解決するためになされたもので、その目的とするところは、チューブ用孔をその大きさ毎に定められた領域内にまとめて複数個形成することによりサンプルチューブの装填が容易で短時間に行うことができ、誤装填を軽減し得るようにした遠心分離機用ロータを提供することにある。
また、本発明は、ロータの回転中心に対してバランスのとれた装填を可能にするとともに、サンプルチューブの種類毎にチューブを何本装填したかを容易に判別することができる遠心分離機用ロータを提供することにある。
さらに、本発明は各チューブ用孔の領域とそのサンプルチューブの容量値をチューブ用孔の領域毎に表示することにより、チューブ用孔を容易に見分けることができ、サンプルチューブの誤装填を軽減し得るようにした遠心分離機用ロータを提供することにある。
【００１４】
【課題を解決するための手段】
上記目的を達成するために第１の発明は、孔径が異なる複数種類の遠心チューブ用孔を備えた遠心分離機用ロータにおいて、前記遠心チューブ用孔をその孔径毎に定められた領域内に位置するようにグループ化して形成したものである。
このような構造によれば、遠心チューブ用孔の形成領域毎にその大きさが異なるので、遠心チューブ用孔の大きさ判別が容易となり、大きさが異なる遠心チューブ用孔へのサンプルチューブの誤装填を防止することができる。
【００１５】
第２の発明は、上記第１の発明において、孔径が異なる複数種類の遠心チューブ用孔を、ロータの回転中心を中心とする径が異なる同心状の円周上にそれぞれ位置するように形成したものである。
このような構造によれば、複数種類の遠心チューブ用孔が周方向において混在せず、遠心チューブ用孔の大きさの判別が容易となり、大きさが異なる遠心チューブ用孔へのチューブの誤装填を防止することができる。
【００１６】
第３の発明は、上記第１または第２の発明において、少なくとも孔径が異なる２種類の遠心チューブ用孔を、ロータの回転中心を中心とする同一円周上であって、前記回転中心に関して点対称となるように複数のグループに区分けして形成したものである。
このような構造によれば、サンプルチューブを点対称となる位置の遠心チューブ用孔にそれぞれ装填することにより、回転中心に対してバランスよく装填することができ、運転時の振動、偏心等を防止することができる。
【００１７】
第４の発明は、上記第１、第２または第３の発明において、グループ化された各遠心チューブ用孔の領域と、サンプルチューブの容量値を各遠心チューブ用孔の領域毎に表示したものである。
このような構造によれば、サンプルチューブをその容量値とロータに表示されている容量値が一致するチューブ用孔に装填することにより、間違えることなく装填することができる。また、各遠心チューブ用孔の領域を一目で確認することができる。
【００１８】
【発明の実施の形態】
以下、本発明を図面に示す実施の形態に基づいて詳細に説明する。
図１は本発明に係る遠心分離機用ロータの平面図、図２は図１のＩＩ−ＩＩ線断面図、図３（ａ）、（ｂ）、（ｃ）はそれぞれサンプルチューブを示す図、図４はロータの遠心チューブ用孔が形成されている上面を展開して示す平面図である。これらの図において、全体を符号１で示す遠心分離機用ロータは、アルミニウム合金などの金属ブロックを切削加工によって形成することにより、中心孔２を有する円筒状の回転軸部１Ａと、この回転軸部１Ａの下端部外周に一体に設けられた円板部１Ｂと、この円板部１Ｂの外周に一体に設けられたチューブ装填部１Ｃとで構成されている。
【００１９】
前記回転軸部１Ａは、中心孔２を図示を省略した駆動モータの駆動軸３にハブ４を介して嵌合し、ボルト５を前記駆動軸３の上面に設けたねじ孔に螺合することにより、駆動軸３に対して着脱可能に取付けられている。前記ハブ４は複数本のドライブピン６を有し、これらのドライブピン６を前記回転軸部１Ａの下面に形成したピン用孔７に下方から嵌合することにより、前記駆動軸３の回転を前記遠心分離機用ロータ１に伝達するようにしている。回転軸部１Ａの前記円板部１Ｂより上方部分は、下端部より小径に形成されている。
【００２０】
前記円板部１Ｂは、内周側の板厚が最も厚く外周に向かうにしたがって漸次減少するように形成されている。円板部１Ｂの上面８ａは水平な平坦面に形成され、下面８ｂが外方に向かうにしたがって上方に所要角度で傾斜する斜面に形成されている。
【００２１】
前記チューブ装填部１Ｃは、大きさが異なる３種類のサンプルチューブ１１，１２，１３が着脱自在に装填される部分で、截頭円錐形の環状体に形成され、上面が外方に向かうにしたがって上方へロータ１の軸線Ｌに対して略４５°の角度をもって傾斜する斜面１４に形成され、外周面１５が前記斜面１４と略直交する斜面に形成され、内周面１６が前記外周面１５より小さな角度で傾斜する斜面に形成されている。
【００２２】
前記チューブ装填部１Ｃの斜面１４には、前記各サンプルチューブ１１，１２，１３の装填を可能にする３種類の遠心チューブ用孔Ｌ（Ｌ１  〜Ｌ３０），Ｍ（Ｍ１  〜Ｍ１４），Ｓ（Ｓ１  〜Ｓ１４）がその孔径毎に定められた領域内に位置するようにグループ化されて形成されている。さらに遠心チューブ用孔Ｌ，Ｍ，Ｓについて詳述すると、これらの遠心チューブ用孔Ｌ，Ｍ，Ｓはいずれも不貫通孔（ただし、貫通孔であってもよい）からなり、それぞれ前記斜面１４と直交するように、かつ周方向に所定の間隔をおいて複数個形成されている。また、３種類のサンプルチューブＬ，Ｍ，Ｓのうち孔径が最も大きく、最大径のサンプルチューブ１１の装填を可能にする遠心チューブ用孔Ｌは、孔径が１１．２ｍｍ、深さが３８．２ｍｍで、ロータ１の回転中心Ｏから半径Ｒ１  の同一円周上に１２°の間隔をおいて３０個形成されている。すなわち、遠心チューブ用孔Ｌは、前記回転中心Ｏを中心とする２つの円２０ａ，２０ｂ（図４参照）によって囲まれたリング状の領域Ｉ（平均半径がＲ１  ）内にまとめて形成されている。
【００２３】
孔径が２番目に大きい遠心チューブ用孔Ｍは、孔径が８．１ｍｍ、深さが２７．５ｍｍで１４個形成され、２番目に外径が大きいサンプルチューブ１２の装填を可能にしている。孔径が最も小さい遠心チューブ用孔Ｓは、孔径が６．４ｍｍ、深さが１８．５２ｍｍで１４個形成され、最も外径が小さいサンプルチューブ１３の装填を可能にしている。また、これらの遠心チューブ用孔ＭとＳは、それぞれ所要個数ずつグループ化されてロータ１の回転中心Ｏから半径Ｒ２  （Ｒ１  ＞Ｒ２  ）の同一円周上に、交互に隣り合うように形成されている。すなわち、遠心チューブ用孔Ｍ，Ｓは、７個を１グループとする２つのグループＧＭ１  ，ＧＭ２  ，ＧＳ１  ，ＧＳ２  にそれそれ区分けされ、前記回転中心Ｏを中心とする２つの円２０ｃ，２０ｄ（図４参照）によって囲まれたリング状の領域ＩＩ（平均半径がＲ２  ）内に共存するように、かつ前記回転中心Ｏに関して点対称となる位置にそれぞれ形成されている。このため、領域ＩＩは、周方向に分割された４つの分割領域ＩＩ１  ，ＩＩ２  ，ＩＩ３  ，ＩＩ４  からなり、前記回転中心Ｏに関して点対称となる分割領域ＩＩ１  とＩＩ３  にグループＧＭ１  ，ＧＭ２  をそれぞれ構成する７つの遠心チューブ用孔Ｍが形成されている。一方、前記回転中心Ｏに関して点対称となる分割領域ＩＩ２  とＩＩ４  にはグループＧＳ１  ，ＧＳ２  をそれぞれ構成する７つの遠心チューブ用孔Ｓが形成されている。
【００２４】
また、チューブ用穴Ｍ，Ｓは、それぞれ１２°の間隔で形成され、前記遠心チューブ用孔Ｌとは半ピッチ（６°）ずらして形成されている。ただし、遠心チューブ用孔Ｍ，Ｓの総数は２８個であり、前記遠心チューブ用孔Ｌよりも２つ少ないため、図１および図４において左右両側部分の上下に隣り合う遠心チューブ用孔Ｍ７  とＳ１  、Ｓ８  とＭ１４とはそれぞれ２ピッチ（２４°）ずらして形成されている。
【００２５】
また、前記チューブ装填部１Ｃの斜面１４には、各グループＧＭ１  ，ＧＭ２  ，ＧＳ１  ，ＧＳ２  の遠心チューブ用孔Ｍ，Ｓが形成されている分割領域ＩＩ１  ，ＩＩ２  ，ＩＩ３  ，ＩＩ４  の範囲をそれぞれ表示する略１７／４円の円弧状の表示線２１と、サンプルチューブ１２，１３の容量値２２が各分割領域ＩＩ１  ，ＩＩ２  ，ＩＩ３  ，ＩＩ４  毎に表示されている。さらに、斜面１４の最外周部には「１」〜「１５」までの数字２３が各遠心チューブ用孔Ｌに対応するように右回りに繰り返し２回表示されている。このため、「１」〜「１５」の各数字は、前記回転中心Ｏに関して点対称となる位置にそれぞれ表示されている。なお、遠心チューブ用孔Ｌについては、その領域を表示線で表示しなかった理由は、領域Ｉ全体に形成されているためである。また、サンプルチューブ１１の容量値を表示しなかった理由は、後述するように容量の異なる３種類のサンプルチューブ１１が用いられるからである。なお、「１」〜「１５」の数字２３の表示位置は、遠心チューブ用孔Ｌの付近であればよく、例えば遠心チューブ用孔Ｌの左または右側に表示されるものであってもよい。
【００２６】
前記遠心チューブ用孔Ｌに装填されるサンプルチューブ１１としては、外径は全て同一ではあるが、長さが異なることにより容量（２ｍｌ、１．５ｍｌ、０．７ｍｌ）が異なる３種類のものが用意される。前記遠心チューブ用孔Ｍに装填されるサンプルチューブ１２としては、容量が０．５ｍｌのものが用いられる。前記遠心チューブ用孔Ｓに装填されるサンプルチューブ１３としては、容量が０．２ｍｌのものが用いられる。
【００２７】
遠心チューブ用孔Ｌ，Ｍ，Ｓへのサンプルチューブ１１，１２，１３の装填、特にサンプルチューブ１２，１３の装填に当たっては、例えばサンプルチューブ１２を遠心チューブ用孔Ｌに誤って装填したり、あるいはサンプルチューブ１３を遠心チューブ用孔ＬまたはＭに誤って装填したりしないようにするために、表示線２１と容量値２２の数字によって該当するチューブを挿入すべき遠心チューブ用孔がどの領域に形成されているかをしっかりと確認してから装填する。
【００２８】
また、運転時におけるロータ１の円滑な回転を得るために、回転中心Ｏに関して点対称となる遠心チューブ用孔の位置を「１」〜「１５」の数字２３によって確認し、同じ数字のチューブ用孔にサンプルチューブ１１，１２，１３を装填することが望ましい。例えば、図４において、左側の数字「８」付近の遠心チューブ用孔Ｓ１  にサンプルチューブ１３を装填したときは、右側の数字「８」付近の遠心チューブ用孔Ｓ８  にもサンプルチューブ１３を装填することが望ましい。このように同一の数字に対応する２つのチューブ用孔Ｓ１  ，Ｓ８  にサンプルチューブ１３をそれぞれ装填すれば、これらのサンプルチューブ１３はロータ１の回転中心Ｏに関して点対称となる位置に装填されたことになるので、運転時のバランスが良く、ロータ１の振動、駆動軸３の偏心等を防止することができる。なお、サンプルチューブ１１，１２についても同様である。
【００２９】
このように本発明においては、孔径が異なる３種類の遠心チューブ用孔Ｌ，Ｍ，Ｓをその大きさ（孔径）毎に定められた領域Ｉ，ＩＩ内に位置するようにグループ化して形成したので、孔径が異なる他の遠心チューブ用孔にサンプルチューブを誤まって装填するようなことはなくなる。
また、特に遠心チューブ用孔Ｍ，Ｓについては、その形成領域（分割領域ＩＩ１  ，ＩＩ２  ，ＩＩ３  ，ＩＩ４  ）を表示線２１によって表示するとともに、サンプルチューブ１２，１３の容量値２２を各形成領域毎に表示しているので、これらの表示線２１と容量値２２を視認して孔位置を確認して装填することができるから、サンプルチューブ１２，１３の誤装填をより一層確実に防止することができる。
【００３０】
さらに、遠心チューブ用孔Ｍ，Ｓについては、それぞれ７つずつ２つのグループＧＭ１  ，ＧＭ２  ，ＧＳ１  ，ＧＳ２  に区分けしてロータ１の回転中心Ｏに関して点対称となる位置にそれぞれ形成しているので、点対称となる位置にある遠心チューブ用孔を見つけ出すのが容易になるから、バランスのとれた装填を迅速に行うことができる。また、端の遠心チューブ用孔Ｍ１  ，Ｓ１  からサンプルチューブ１２，１３を点対称に２つずつ装填し始めたとき、表示線２１で囲まれた分割領域ＩＩ１  ，ＩＩ２  内のサンプルチューブ１２，１３の本数をそれぞれ数え、その数をそれぞれ２倍することで、各サンプルチューブ１２，１３の合計を容易に知ることができる。
【００３１】
図５は遠心チューブ用孔の配列の他の実施の形態を示す図である。
この実施の形態は、請求項２に対応する実施の形態を示すもので、遠心チューブ用孔Ｌ，Ｍ，Ｓをロータの回転中心Ｏを中心とする半径Ｒ１  ，Ｒ２  ，Ｒ３  （Ｒ１  ＞Ｒ２  ＞Ｒ３  ）の円周上にそれぞれ形成したものである。すなわち、各遠心チューブ用孔Ｌ，Ｍ，Ｓ毎にそれぞれ１つのグループにまとめて同心円状に形成したものである。遠心チューブ用孔Ｍ，Ｓについては、当該遠心チューブ用孔に装填されるサンプルチューブ１２，１３の容量値２２が表示されている。
【００３２】
このように各遠心チューブ用孔Ｌ，Ｍ，Ｓをそれぞれグループ化してその形成領域Ｉ，ＩＩ，ＩＩＩ  をそれぞれ同心円状の環状領域とすると、大きさの異なるチューブ用孔どうしが周方向において互いに隣り合わないために遠心チューブ用孔Ｌ，Ｍ，Ｓの判別が容易になり、サンプルチューブの誤挿入をより一層防止することができる。
【００３３】
図６は遠心チューブ用孔の配列のさらに他の実施の形態を示す図である。
この実施の形態は請求項３に対応する実施の形態を示すもので、遠心チューブ用孔Ｌ，Ｍ，Ｓをそれぞれ所要個数ずつ２つのグループＧＬ１  ，ＧＬ２  ，ＧＭ１  ，ＧＭ２  ，ＧＳ１  ，ＧＳ２  に区分けし、グループＧＬ１  とＧＬ２  の遠心チューブ用孔Ｌ、グループＧＭ１  とＧＭ２  の遠心チューブ用孔Ｍ、グループＧＳ１  とＧＳ２  の遠心チューブ用孔Ｓをロータの回転中心Ｏを中心とする半径Ｒ１  の円周上で、かつ前記回転中心Ｏに関して点対称となる位置にそれぞれ形成したものである。領域Ｉ１  〜Ｉ６  は各グループＧＬ１  ，ＧＬ２  ，ＧＭ１  ，ＧＭ２  ，ＧＳ１  ，ＧＳ２  の遠心チューブ用孔Ｌ，Ｍ，Ｓの形成領域である。遠心チューブ用孔Ｍ，Ｓについては、その領域Ｉ２  ，Ｉ３  ，Ｉ５  ，Ｉ６  を示す表示線２１と、当該領域の遠心チューブ用孔に装填されるサンプルチューブ１２，１３の容量値２２が各領域Ｉ２  ，Ｉ３  ，Ｉ５  ，Ｉ６  毎に表示されている。
【００３４】
このように３種類の遠心チューブ用孔Ｌ，Ｍ，Ｓをそれぞれ２つのグループＧＬ１  ，ＧＬ２  ，ＧＭ１  ，ＧＭ２  ，ＧＳ１  ，ＧＳ２  に区分けしてロータの回転中心Ｏを中心とする同一円周上に前記回転中心Ｏに関して点対称となるように形成することにより、ロータ自体の外径を小さくすることができ、小型軽量化を図ることができる。
【００３５】
なお、上記した実施の形態はいずれも孔径が異なる３種類の遠心チューブ用孔Ｌ，Ｍ，Ｓを備えたロータについて説明したが、本発明はこれに何ら限定されるものではなく２種類、あるいは４種類以上の遠心チューブ用孔を有するロータにも適用できる。また、遠心チューブ用孔のグループ化に当たっては、２つに限らず、４つであってもよい。また、遠心チューブ用孔Ｌについても、その形成領域やサンプルチューブ１１の容量値を表示してもよい。
【００３６】
【発明の効果】
以上説明したように本発明に係る遠心分離機用ロータは、孔径が異なる複数種類の遠心チューブ用孔を種類毎にグループ化して定められた領域内に位置するように形成したので、遠心チューブ用孔を容易に識別することができる。したがって、サンプルチューブを迅速に装填することができ、サンプルチューブを大きさが異なる他の遠心チューブ用孔に誤って装填してしまうようなことを未然に防止することができる。
【００３７】
また、本発明は遠心チューブ用孔の形成領域と、サンプルチューブの容量値を表示するようにしたので、一層遠心チューブ用孔の識別が容易である。さらに、遠心チューブ用孔を複数のグループに区分けし、同一円周上でかつロータの回転中心に関して点対称となる位置に形成されているから、点対称となる位置にある孔どうしを容易に識別することができ、バランスのよい装填を迅速に行うことができる。さらに、サンプルチューブを何本装填したかの確認も容易である。
【図面の簡単な説明】
【図１】本発明に係る遠心分離機用ロータの平面図である。
【図２】図１のＩＩ−ＩＩ線断面図である。
【図３】（ａ）、（ｂ）、（ｃ）はそれぞれサンプルチューブを示す図である。
【図４】ロータの遠心チューブ用孔が形成されている上面を展開して示す平面図である。
【図５】遠心チューブ用孔の配列の他の実施の形態を示す図である。
【図６】遠心チューブ用孔の配列のさらに他の実施の形態を示す図である。
【符号の説明】
１…遠心分離機用ロータ、１Ａ…回転軸部、１Ｂ…円板部、１Ｃ…チューブ装填部、２…中心孔、３…駆動軸、１１，１２，１３…サンプルチューブ、Ｌ，Ｍ，Ｓ…遠心チューブ用孔、Ｉ，Ｉ１  〜Ｉ６  ，  ＩＩ，ＩＩ１  〜ＩＩ４  ，ＩＩＩ…領域。
【図１】
2004154661.tif 000003
【図２】
2004154661.tif 000004
【図３】
2004154661.tif 000005
【図４】
2004154661.tif 000006
【図５】
2004154661.tif 000007
【図６】
2004154661.tif 000008